(57)【要約】【課題】収納箱内に設けた固定片で、ロールの飛び出しを確実に防止する。【解決手段】底板１から立設した前面板２の上縁にその前面板２の内面に折り込み可能な補強板６を連設し、この補強板６の端縁に、折目線ｓを介してこの補強板６の横幅方向に延びる第一固定片７を連設する一方で、底板１から立設した後面板３の側縁に連設片３ｐを連設し、この連設片３ｐに折目線ｓを介してこの後面板３の横幅方向に延びる第二固定片８を連設する。この第一固定片７及び第二固定片８は、収納部内に互いに向き合うように起立し、ロールＲが飛び出そうとした際に、両固定片７、８の下縁がこのロールＲの端部外周面の上側に当接する。このロールＲの当接力は両固定片７、８に分散するため、当接が繰り返されることによる両固定片７、８の根元の強度低下が生じにくく、ロールＲの飛び出しを確実に防止することができる。【選択図】図１
2011068384.tif 000002
【特許請求の範囲】
【請求項１】
底板（１）と、この底板（１）の各辺から立設された前面板（２）、後面板（３）及び両側面板（４、４）とで構成される上面開口の収納部に、ラップフィルム（Ｆ）等を巻いたロール（Ｒ）を収納し、前記後面板（３）の上縁に蓋板（５）を連設したラップフィルム（Ｆ）等のロール収納箱において、
前記前面板（２）の上縁にその前面板（２）の内面に折り込み可能な補強板（６）を連設し、この補強板（６）の上部端縁に、折目線（ｓ）を介して前記補強板（６）の横幅方向に延びる第一固定片（７）を連設する一方で、前記後面板（３）の側縁に連設片（３ｐ）を連設し、この連設片（３ｐ）の上部端縁に、折目線（ｓ）を介して前記後面板（３）の横幅方向に延びる第二固定片（８）を連設し、
この収納箱を組み立てた状態において、前記第一固定片（７）は第二固定片（８）の根元方向に起立する一方で、前記第二固定片（８）は第一固定片（７）の根元方向に起立して、両固定片（７、８）は互いに重なり合い、前記ロール（Ｒ）が飛び出そうとした際に両固定片（７、８）の下縁が、このロール（Ｒ）の端部外周面に当接するようにしたことを特徴とするロール収納箱。
【請求項２】
前記第一固定片（７）の折目線（ｓ）よりも、前記前面板（２）に連設した連設片（２ｐ）の折目線（ｓ）の方が、横幅方向の外側に形成されていることを特徴とする請求項１に記載のロール収納箱。
【請求項３】
前記第二固定片（８）の先端位置が、この第二固定片（８）を連設した連設片（３ｐ）の先端位置よりも、この連設片（３ｐ）の折目線（ｓ）側に奥まっていることを特徴とする請求項２に記載のロール収納箱。
【請求項４】
前記第一固定片（７）が、前記前面板（２）に連設された連設片（２ｐ）と、前記後面板（３）に連設された連設片（３ｐ）に、その両面側から挟み込まれていることを特徴とする請求項１乃至３のいずれか一つに記載のロール収納箱。
【発明の詳細な説明】
【技術分野】
【０００１】
この発明は、食品包装用のラップフィルム等を巻いたロールの収納箱に関し、特に、このラップフィルム等の引き出し時に、ロールの飛び出しを防止するようにした収納箱に関する。
【背景技術】
【０００２】
食品包装用のラップフィルム等を巻いたロールの収納箱は、例えば下記特許文献１に示すように、底板と、この底板の各辺から立設された前面板、後面板及び両側面板とで構成される上面開口の収納部を有し、この収納部に前記ロールが収納されている。そして、この収納部の開口部を覆うように、前記後面板の上縁から折目線を介して蓋板が連設され、さらに、この蓋板に、折目線を介して前記前面板を覆う蓋前面板が設けられている。この蓋前面板には横方向全長に亘るミシン目が形成されており、この蓋前面板のミシン目よりも下側と、前面板とが接着されて蓋板が閉じられた状態となっている。
【０００３】
そして、この収納箱を開封する際には、前記ミシン目よりも下側の蓋前面板を手でつまんで、このミシン目に沿って前記蓋前面板の下側（前面板と接着した部分）を取り除くことによって、この蓋板を自在に開閉できるようにする。
【０００４】
このラップフィルムを引き出す際には、このフィルムを巻いたロールが、フィルムに引っ張られて収納部から飛び出しやすいため、この飛び出しを防止すべく、前記前面板の上縁にその前面板の内面に折り込み可能な補強板を連設し、この補強板の端縁に折目線を介して固定片を連設している。このようにすると、前記フィルムの引き出しの際に、ロールが飛び出そうとしても、前記固定片の下縁がロールの端部外周面の上側に当接して、その飛び出しが防止される。
【先行技術文献】
【特許文献】
【０００５】
【特許文献１】特許第４２４４１６５号公報
【発明の概要】
【発明が解決しようとする課題】
【０００６】
上記特許文献１に係る収納箱においては、前記固定片が前面板側（補強板）に形成されているため、ラップフィルムの引き出しに際しロールが収納部から飛び出そうとするのをこの固定片が防止する際に、この固定片の根元側（折目線付近）に力がかかりやすい。そして、前記引き出しの度にこの力がかかると、この根元側の強度が次第に低下して固定片がきちんと起立せず、ロールの飛び出し防止作用が不十分となる可能性がある。これを防ぐため、この固定片の根元側を太くして強度低下が生じるのを防止することも考えられる。しかしながら、収納箱のサイズは、ラップフィルム等を巻いたロールがちょうど収納できる程度の大きさに、コンパクト化が図られているのが通常であって、その収納箱内に、根元を太くした固定片を収納するスペースを確保するのが困難であることが多い。
【０００７】
そこで、この発明は、収納箱内に設けた固定片で、ロールの飛び出しを確実に防止することを課題とする。
【課題を解決するための手段】
【０００８】
上記課題を解決するため、この発明は、底板と、この底板の各辺から立設された前面板、後面板及び両側面板とで構成される上面開口の収納部に、ラップフィルム等を巻いたロールを収納し、前記後面板の上縁に蓋板を連設したラップフィルム等のロール収納箱において、前記前面板の上縁にその前面板の内面に折り込み可能な補強板を連設し、この補強板の上部端縁に、折目線を介して前記補強板の横幅方向に延びる第一固定片を連設する一方で、前記後面板の側縁に連設片を連設し、この連設片の上部端縁に、折目線を介して前記後面板の横幅方向に延びる第二固定片を連設し、この収納箱を組み立てた状態において、前記第一固定片は第二固定片の根元方向に起立する一方で、前記第二固定片は第一固定片の根元方向に起立して、両固定片は互いに重なり合い、前記ロールが飛び出そうとした際に両固定片の下縁が、このロールの端部外周面に当接する構成とした。
【０００９】
この構成では、ロールの飛び出しを防止するための第一固定片と第二固定片の二つの固定片を設けているので、ロールからの当接力が両固定片に分散する。このため、一方の固定片の根元に力がかかって、この根元の強度が低下する恐れが低い。しかも、第一固定片と第二固定片は互いに逆向きに起立しつつ重なり合っているため、両固定片と、前面板と、前面板に連設した連設片は、三角形の各片を構成する位置関係にある。この三角形状は外部からの力に対して変形しにくいことが知られており、この構成においても、この三角形の一辺を構成する両固定片にロールが当接した場合に、この三角形状を保ったままこのロールの飛び出しを阻止する。
【００１０】
また、前記構成においては、前記第一固定片の折目線よりも、前記前面板に連設した連設片の折目線の方を、横幅方向の外側に形成するのが好ましい。
【００１１】
この収納箱の成形は、自動化されたラインで折り曲げ機を用いて行うのが通常であり、この成形の際の折り曲げ工程の回数は少ないほど製造コストの低減につながる。そこで、折目線の位置関係を上記のようにすると、前記連設片を内側に折り込んだ際に、この連設片が、前記第一固定片を内側に押し込んで、この第一固定片の折目線に沿って内側に起立させる。すなわち、この第一固定片の起立させるための単独の工程が不要となって、作業工程の簡略化を図ることができる。
【００１２】
また、前記第一固定片を連設片との当接により起立させるようにした前記構成においては、前記第二固定片の先端位置が、この第二固定片を連設した連設片の先端位置よりも、この連設片の折目線側に奥まっているのがより好ましい。
【００１３】
この収納箱の組み立て工程は、後述する手順によって、後面板及び前面板に形成した連設片を順次内側に折り込んで箱体とするが、ラインの自動化を図る上において、各固定片や連設片を単独の工程によって折り込むよりも、他の連設片等の折り込みに伴って折り込まれるようにするのが効率がよい。
【００１４】
このような観点から、このロール収納箱の組み立て工程においても、先に折り込まれた連設片に連設した第二固定片が、後から折り込まれる連設片によって起立された第一固定片によって、内側に起立されるようにするのが好ましいが、その際に第一固定片が第二固定片の先端につかえた状態となって、この第一固定片を連設した連設片の折り込みがスムーズにできない恐れがある。そこで、上記のように、第二固定片の先端位置を奥まったように配置することで、前記連設片の折り込みの際に、前記第一固定片が、第二固定片側に若干量だけ「逃げる」ことができ、この連設片の折り込みをスムーズに行うことができる。
【００１５】
しかも、この第一固定片がある程度起立した状態（第二固定片をその内側に押し込み得る角度を有する状態）で第二固定片に当接するため、この第一固定片による第二固定片の起立（内側への押し込み）もスムーズに行うことができる。
【００１６】
また、前記各構成においては、前記第一固定片が、前記前面板に連設された連設片と、前記後面板に連設された連設片に、その両面側から挟み込まれた状態とするのがより好ましい。
【００１７】
このように第一固定片を挟み込むことで、この第一固定片の所定角度での安定した起立状態が維持される。そうすると、収納部に収納したロールが飛び出そうとした際に、このロールの所定位置（一般的には端部外周面の上側）にこの第一固定片の下縁が当接して、その飛び出し防止作用が確実に発揮される。
【発明の効果】
【００１８】
この発明によると、収納箱内に対向する二片からなる固定片を形成し、この両固定片によりロールの飛び出しを防止するようにした。このようにすると、両固定片にかかるロールの当接力が分散し、フィルムの引き出しを繰り返し行っても、この固定片の根元の強度が低下しにくい。このため、固定片の起立状態が維持されて、ロールの飛び出しを確実に防止することができる。
【図面の簡単な説明】
【００１９】
【図１】この発明に係るロール収納箱の一実施形態を示す斜視図
【図２】図１に示すロール収納箱の平面図
【図３】図１に示すロール収納箱の側面断面図
【図４】図１に示すロール収納箱の展開図
【図５Ａ】ロール収納箱の組み立て前の状態を示す斜視図
【図５Ｂ】前面板と後面板を起立させた状態を示す斜視図
【図５Ｃ】補強板と側面板を折り込んだ状態を示す斜視図
【図５Ｄ】前面板の連設片を折り込んだ状態を示す斜視図
【図５Ｅ】両固定片の起立状態を示す要部平面図であって、（ａ）は両固定片が当接し始めた状態、（ｂ）は両固定片が完全に起立した状態
【図５Ｆ】側壁面を起立させた状態を示す斜視図
【図５Ｇ】側壁面の連設片を折り込んだ状態を示す斜視図
【図５Ｈ】蓋板の連設片と前面板の連設片とを接着して箱体を完成した状態を示す斜視図
【発明を実施するための形態】
【００２０】
この発明に係るロール収納箱の一実施形態を図１乃至３に示す。このロール収納箱は、底板１と、この底板１の各辺から立設された前面板２、後面板３及び両側面板４、４とで構成される上面開口の収納部に、ラップフィルムＦを巻いたロールＲを収納し、後面板３の上縁に蓋板５を連設したものである。
【００２１】
この前面板２の上縁にはその前面板２の内面に折り込んだ状態で補強板６が連設されており（図３を参照）、この補強板６の端縁に、折目線ｓを介してこの補強板６の横幅方向に延びる第一固定片７が連設されている一方で、後面板３の側縁に連設片３ｐを連設し、この連設片３ｐに折目線ｓを介してこの後面板３の横幅方向に延びる第二固定片８が連設されている。そして、この第一固定片７及び第二固定片８は、収納部内に互いに向き合うように起立し、ロールＲが飛び出そうとした際に、両固定片７、８の下縁がこのロールＲの端部外周面の上側に当接するようになっている。
【００２２】
さらに、蓋板５には、折目線ｓを介して、前面板２を覆う蓋前面板９が連設されている。この蓋前面板９には横方向全長に亘るミシン目ｃ１が形成されており、この蓋前面板９のミシン目ｃ１よりも下側の接着部９ａと、前面板２の接着部２ａとが接着されて蓋板５が閉じられた状態となる。そして、この収納箱の開封の際には、ミシン目ｃ１よりも下側の蓋前面板９を手でつまんで、このミシン目ｃ１に沿って蓋前面板９の下側（前面板２と接着した部分）を切り取ることによって、この蓋板５を自在に開閉できるようにする（図３を参照）。なお、図面上は、収納箱の元の形状を明確に表すために、前記接着及びミシン目ｃ１による切り取りを行っていない状態を示している。
【００２３】
また、蓋前面板９の内面側には、引き出したラップフィルムＦを切断する刃体（図示せず）が設けられており、この刃体に沿うように、この蓋前面板９の横方向全長に亘って刃体分離ミシン目ｃ２が形成されている。そして、このラップフィルムＦを使い切った後に、この刃体分離ミシン目ｃ２に沿って、刃体ごと蓋前面板９の下端側を切り取って、刃体と収納箱の本体を分別廃棄できるようにしている。
【００２４】
さらに、前面板２には係止部１０が形成され、この収納箱を一旦開封した後に、蓋前面板９の下端をこの係止部１０の切れ込みに挟み込むことによって、この蓋前面板９が開きっぱなしとなって、収納部に埃等の異物が入り込むのを防止している。
【００２５】
このロール収納箱の表面側から見た展開図を図４に示す。この収納箱は、底板１の各辺に前面板２、後面板３、側面板４がそれぞれ折目線ｓを介して連設されている。この前面板２には、その両側に連設片２ｐ、２ｐが連設されるとともに、その上縁となる側に補強板６が連設されている。さらに、この補強板６の両側には、折目線ｓを介して第一固定片７、７が連設されている。この第一固定片７の折目線ｓは、前面板２の連設片２ｐの折目線ｓよりも横幅方向の内側（同図中の幅ｇ１を参照）に形成されている。
【００２６】
また、後面板３には、蓋板５及び蓋前面板９が折目線ｓを介して順次連設されている。各板３、５、９の両側には、それぞれ連設片３ｐ、５ｐ、９ｐが連設されている。この後面板３の連設片３ｐの両側には、折目線ｓを介して第二固定片８が連設されている。そして、この第二固定片８の先端位置は、この第二固定片８を連設した連設片３ｐの先端位置よりもこの連設片３ｐの折目線ｓ側に奥まっている（同図中の幅ｇ２を参照）。
【００２７】
次に、図５Ａ乃至図５Ｈに、このロール収納箱の組み立てにおける各段階の斜視図を示して、その組み立て手順の一例を説明する。
【００２８】
まず、水平状態とした底板１に対して、前面板２と後面板３を起立させる（図５Ｂを参照）。次に、前面板２に連設した補強板６を前面板２の裏面側（収納箱の内側）に１８０度折り込んで、この補強板６の裏面と前面板２の裏面とを接着する一方で、後面板３に連設した連設片３ｐを内側に９０度折り込む（図５Ｃを参照）。さらに、前面板２に連設した連設片２ｐを内側に９０度折り込む（図５Ｄを参照）。
【００２９】
このときの第一固定片７と第二固定片８の起立状態を図５Ｅ（ａ）及び（ｂ）に示して説明する。この第一固定片７の折目線ｓは、連設片２ｐの折目線ｓよりも横幅方向の内側（図４中の幅ｇ１を参照）に形成されているため、この連設片２ｐの折り曲げに伴って、この連設片２ｐにもたれかかるようにして第一固定片７が起立し始める（図５Ｅ（ａ）を参照）。このとき、第二固定片８の先端位置が、この第二固定片８を連設した連設片３ｐの先端位置よりも、この連設片３ｐの折目線ｓ側に奥まっているため（図４中の幅ｇ２を参照）、連設片２ｐの折り込みの際に、第一固定片７が、第二固定片８側に若干量だけ「逃げる」ことができ、この連設片２ｐの折り込みをスムーズに行うことができる。そして、この連設片２ｐの折り込みをさらに進めると、第一固定片７が第二固定片８を内側に押し込んで、両固定片７、８の起立が完了する（図５Ｅ（ｂ）を参照）。
【００３０】
このとき、第一固定片７の先端側は、両連設片２ｐ、３ｐに挟み込まれた状態となっている。このため、この第一固定片７の所定角度での安定した起立状態が維持されて、その飛び出し防止作用が確実に発揮される。
【００３１】
この両固定片７、８の起立が完了したら、側面板４を起立させて、この側面板４の裏面と連設片２ｐ、３ｐとを接着する（図５Ｆを参照）。さらに、側面板４に連設した連設片４ｐ、及び、蓋板５に対して蓋前面板９を内側に９０度折り込むとともに、この蓋板５及び蓋前面板９に連設した連設片５ｐ、９ｐを内側に９０度折り込む（図５Ｇを参照）。最後に、両連設片５ｐ、９ｐを接着するとともに、接着部２ａ、９ａを接着して収納箱を完成させる（図５Ｈを参照）。
【００３２】
図５Ａから図５Ｈの一連の組み立て手順においては、ラップフィルムＦを巻いたロールＲの収納工程については言及しなかったが、例えば図５Ｃの工程の後（すなわち、両固定片７、８がまだ起立していない段階）に、ロールＲの収納を行うようにすることができる。
【００３３】
なお、この一連の組み立て工程においては、作業の効率化を考慮して、第一固定片７が連設片２ｐの折り込みによって起立するようにするとともに、第二固定片８が第一固定片７によって起立されるように、第一固定片７の折目線ｓの位置及び第二固定片８の先端位置を上述したように構成したが、この第一固定片７及び第二固定片８は、それぞれ単独工程によって起立するようにしてもよい。
【００３４】
また、上記実施形態においては、ロールＲの両端側に固定片７、８を設けて、このロールＲの飛び出しを防止する構成としたが、いずれか一方の端部のみに固定片７、８を形成する構成を採用することもできる。
【００３５】
この収納箱の組み立て手順は上記に限定されない。例えば、上記手順と同様に、前面板２に連設した補強板６を前面板２の裏面側に１８０度折り込んで、この補強板６の裏面と前面板２の裏面とを接着した後に、底板１に対して、前面板２と後面板３を起立させ、さらに蓋板５及び蓋前面板９を順次９０度内側に折り込み、接着部２ａ、９ａを接着して筒状体とする。そして、ロールＲを筒状体内に収納した後に、側面板４及び各連設片２ｐ、３ｐ、４ｐ、５ｐ、９ｐをそれぞれ内側に折り込んで筒状体の側面を閉じた状態とするようにすることもできる。
【符号の説明】
【００３６】
１  底板
２  前面板
３  後面板
４  側面板
５  蓋板
６  補強板
７  第一固定片
８  第二固定片
９  蓋前面板
１０  係止片
２ｐ、３ｐ、４ｐ、５ｐ、９ｐ  連設片
２ａ、９ａ  接着部
ｓ  折目線
Ｆ  ラップフィルム
Ｒ  ロール
【図１】
2011068384.tif 000003
【図２】
2011068384.tif 000004
【図３】
2011068384.tif 000005
【図４】
2011068384.tif 000006
【図５Ａ】
2011068384.tif 000007
【図５Ｂ】
2011068384.tif 000008
【図５Ｃ】
2011068384.tif 000009
【図５Ｄ】
2011068384.tif 000010
【図５Ｅ】
2011068384.tif 000011
【図５Ｆ】
2011068384.tif 000012
【図５Ｇ】
2011068384.tif 000013
【図５Ｈ】
2011068384.tif 000014